(57)【特許請求の範囲】
【請求項１】
本体カバーと、この本体カバーにスライドして出し入れされるディスク搭載用のトレイとから成るディスクドライブ装置であって、前記本体カバーの底部に外部インターフェイスコネクタに接続されるパターンを形成するとともに、前記トレイ側にこのパターンに弾性的に接地してスライドするバネ端子を設け、前記トレイ側に、前記パターンに接地する防塵シートを設けたことを特徴とするディスクドライブ装置。
【発明の詳細な説明】
【０００１】
【産業上の利用分野】
本発明は、外部との接続のためのインターフェイス部の構造を簡単化したディスクドライブ装置に関するものである。
【０００２】
【従来の技術】
近年、ディスクドライブ装置は、音響映像機器、情報通信機器等の分野で広く普及してきている。また、ビジネス活動の広範囲化にともなう機器の小型化により、ディスクドライブ装置のさらなる小型化が要求されている。しかしながら、ディスクドライブ装置のインターフェイス部は、フレキシブルフラットケーブル及び、コネクタが採用されており装置の小型化の妨げとなっている。
【０００３】
以下に、従来のディスクドライブ装置について説明する。図３は、従来のディスクドライブ装置の斜視図である。図３において、１は本体カバー、２はトレイ、３はトレイ２をイジェクトするイジェクトスイッチ、４はトレイ２を前後動させるガイドレール、５はディスク、６はメイン基板、７は外部インターフェイスコネクタ、８はメイン基板６の上面に設けられた内部インターフェイスコネクタ、９は外部インターフェイスコネクタ７と内部インターフェイスコネクタ８とを接続するフレキシブルフラットケーブルである。ディスク５を搭載したトレイ２は、本体カバー１内を矢印方向にスライドして、本体カバー１に出し入れされるが、トレイ２を本体カバー１から十分に引き出せるように、フレキシブルフラットケーブル９は余裕長を有する長尺となっている。
【０００４】
図４は、従来のディスクドライブ装置の動作説明図である。以上のように構成されたディスクドライブ装置について、以下その動作について説明する。まず、図４（ａ）に示すように、ディスクドライブ稼働中には、トレイ２、ディスク５及び、基板６は、本体カバー１の中に入っている。この状態で、フレキシブルフラットケーブル９は外部インターフェイスコネクタ７と内部インターフェイスコネクタ８との間に屈曲して収まる構造となっている。また、ディスク５を取り出すときには、イジェクトスイッチ３を操作することにより、図４（ｂ）に示すように、トレイ２を本体カバー１より取り出す。この状態で、フレキシブルフラットケーブル９は、長く引き伸ばされる。
【０００５】
【発明が解決しようとする課題】
しかしながら上記従来の構成では、ディスクドライブ装置稼働中、外部インターフェイスコネクタ７と内部インターフェイスコネクタ８の間に長尺のフレキシブルフラットケーブル９が屈曲して収まるスペースが必要であり、ディスクドライブ装置の小型化の妨げとなっていた。
【０００６】
そこで本発明は、従来のフレキシブルフラットケーブル及び、インターフェイスコネクタを用いた接続方法をなくすことにより、装置の小型化を図れるディスクドライブ装置を提供することを目的とする。
【０００７】
【課題を解決するための手段】
このために本発明は、本体カバーの底部に外部インターフェイスコネクタに接続されるパターンを形成するとともに、トレイ側にこのパターンに弾性的に接地してスライドするバネ端子を設け、トレイ側に、パターンに接地する防塵シートを設けたものである。
【０００８】
【作用】
上記構成によれば、トレイを本体カバーに対してスライドさせた場合、バネ端子は常にパターンに接地して摺動する。また長尺のフレキシブルフラットケーブルに替えてパターンを形成することにより、フレキシブルフラットケーブルを収納するスペースが不要となり、ディスクドライブ装置を小型化できる。また防塵シートにより、電気的接触部にゴミが入るのを防止できる。
【０００９】
【実施例】
次に、本発明の一実施例を図面を参照しながら説明する。図１は、本発明の一実施例のディスクドライブ装置の斜視図、図２は同断面図である。図１において、２１は本体カバー、２２はトレイ、２３はトレイ２をイジェクトするイジェクトスイッチ、２４はトレイ２を前後動させるガイドレール、２５はディスク、２６はメイン基板、２７は外部インターフェイスコネクタ、２８はメイン基板２６の下面に設けられたバネ式コネクタ、３０は本体カバー２１の底部に接着されたパターン、２９は外部インターフェイスコネクタ２７とパターン３０とを接続するフレキシブル端子であって、その下端部はパターン３０に弾性的に接地している。ディスク２５を搭載したトレイ２２は、矢印方向にスライドして本体カバー２１に出し入れされる。
【００１０】
図２は、バネ式コネクタ２８の構造を示した図であって、図２の右半部は左半部を横から見た図である。図２において、４０はバネ式コネクタ２８のケース、４１はバネ端子、４２はバネ端子４１を位置決めするためのピン、４４はケース４０をメイン基板２６に固定するネジ、４５は防塵シート、４６はパターンである。
【００１１】
図２に示すように、バネ端子４１の一端４１ａはメイン基板２６の下面に形成されているパターン４６に実装されており、他端４１ｂはバネの弾性にて上下方向に自由度をもっている。また、図１に示すように外部インターフェイスコネクタ２７は、フレキシブル端子２９を介して本体カバー２１の底部に接着されたパターン３０に接続されている。また、バネ端子４１の中央部に形成された屈曲部４１ｃは、パターン３０と常に接地してパターン３０上をスライドするように位置決めされている。また、パターン３０との接触部にゴミが入るのを防止するために、ケース４０の側面には弾性を有する防塵シート４５が取付けられている。
【００１２】
したがって図１および図２において、トレイ２２を矢印方向にスライドさせて本体カバー２１に出し入れする際には、バネ端子４１の屈曲部４１ｃは常にパターン３０に接触しており、かつ上記従来の長尺のフレキシブルフラットケーブル９を不要にできるので、図２に示すようにトレイ２２を外部インターフェイスコネクタ２７の方向へ十分近ずけることができ、ディスクドライブ装置のトレイのスライド方向の小型化を実現できる。
【００１３】
【発明の効果】
以上説明したように本発明は、本体カバーの底部に外部インターフェイスコネクタに接続されるパターンを形成するとともに、トレイ側にこのパターンに弾性的に接地してスライドするバネ端子を設けているので、従来必要であった長尺のフレキシブルフラットケーブルを除去してその収納スペースを不要にでき、したがってディスクドライブ装置のトレイのスライド方向の小型化を図り、小型コンパクトなディスクドライブ装置を実現できる。また防塵シートにより、電気的接触部にゴミが入るのを防止できる。
【図面の簡単な説明】
【図１】本発明の一実施例のディスクドライブ装置の斜視図
【図２】本発明の一実施例のディスクドライブ装置の断面図
【図３】従来のディスクドライブ装置の斜視図
【図４】従来のディスクドライブ装置の動作説明図
【符号の説明】
２１  本体カバー
２２  トレイ
２５  ディスク
２９  フレキシブル端子
３０  パターン
４１  バネ端子
４１ｃ  屈曲部
４５  防塵シート
【図１】
0003653771.tif 000002
【図２】
0003653771.tif 000003
【図３】
0003653771.tif 000004
【図４】
0003653771.tif 000005